(57)【要約】  電極組立体（２０）の積層方向（Ｙ軸方向）の両側部には、絶縁フィルム（２１ａ）が配置されている。蓄電装置の充電前、絶縁フィルム（２１ａ）および電極組立体（２０）の積層方向の合計厚さ（Ｌ２）と、電極組立体（２０）を収容するケースの一対の長辺側壁（１３ｃ）の内壁間の距離（Ｌ１）との間には、「Ｌ１＞Ｌ２」の関係が成立している。蓄電装置の充電前、絶縁フィルム（２１ａ）の厚さ（Ｌ３）は、「Ｌ１−Ｌ２」よりも大きい値に設定されている。
2016031501.tif 000002
【特許請求の範囲】
【請求項１】
金属薄板および前記金属薄板に接触している活物質層を備えた正極および負極の各電極が互いに絶縁された状態で積層されている電極組立体と、
前記電極組立体が収容されているケースと、
前記電極の積層方向に前記電極組立体と隣接する絶縁部材とを備え、
前記ケースは、少なくとも前記絶縁部材に対向する位置に、導電性の部分を含む内壁を有し、
前記絶縁部材の厚さは、前記電極組立体が充電される前の前記絶縁部材に対向する前記ケースの内壁と前記絶縁部材との間の隙間の前記積層方向の寸法以上に、設定されている蓄電装置。
【請求項２】
前記絶縁部材の厚さは、前記電極組立体が充電される前に、前記絶縁部材に対向する前記ケースの内壁と前記絶縁部材との間にゼロよりも大きい前記積層方向の寸法の隙間を確保可能に、設定されている請求項１記載の蓄電装置。
【請求項３】
前記ケースの前記積層方向に交差する面以外の一つの面が、前記電極組立体を前記ケースに収容する際にケースを開口させる蓋によって、構成されている請求項１または請求項２記載の蓄電装置。
【請求項４】
前記正極の電極は、前記積層方向の両側からセパレータによって挟まれており、
前記電極組立体は、前記積層方向の両端部に、前記負極の電極を有し、
前記両端部の前記負極の電極は、前記ケースの内壁に対向する側に、セパレータを有していない請求項１〜請求項３のいずれか一項に記載の蓄電装置。
【請求項５】
前記ケースの内壁のうち、少なくとも前記絶縁部材に対向する内壁は、アルミニウムを含む材料により構成されている請求項４記載の蓄電装置。
【請求項６】
前記電極組立体は、前記両端部の負極の電極と前記絶縁部材との間に、セラミック含有層を備えている請求項４または請求項５記載の蓄電装置。
【請求項７】
前記ケースには、前記積層方向に沿って前記ケースから前記電極組立体に作用する荷重が付与されている請求項１〜請求項６のいずれか一項に記載の蓄電装置。
【請求項８】
前記蓄電装置は、リチウムイオン二次電池であり、
前記負極の電極は、シリコンを含む活物質を備えている請求項１〜請求項７のいずれか一項に記載の蓄電装置。
【請求項９】
金属薄板および前記金属薄板に接触している活物質層を備えた正極および負極の各電極が互いに絶縁された状態で積層されている電極組立体と、前記電極組立体が収容されているケースと、前記電極の積層方向に前記電極組立体と隣接する絶縁部材とを備えた蓄電装置の製造方法において、
前記ケースは、少なくとも前記絶縁部材に対向する位置に、導電性の部分を含む内壁を有し、
前記電極組立体および前記絶縁部材を前記ケースに収容する収容工程を有し、
前記絶縁部材の厚さは、前記収容工程時の前記絶縁部材に対向する前記ケースの内壁と前記絶縁部材との間の隙間の前記積層方向の寸法以上に、設定されていることを特徴とする蓄電装置の製造方法。
【請求項１０】
前記収容工程は、前記電極組立体および前記絶縁部材を前記ケースの前記積層方向に交差する面以外の一つの面から前記ケースに収容する工程であり、
前記絶縁部材の厚さは、前記収容工程時に、前記絶縁部材に対向する前記ケースの内壁と前記絶縁部材との間にゼロよりも大きい前記積層方向の寸法の隙間を確保可能に、設定されている請求項９記載の蓄電装置の製造方法。
【発明の詳細な説明】
【技術分野】
【０００１】
本発明は、電極の積層方向に電極組立体と隣接する絶縁部材を備えた蓄電装置、および蓄電装置の製造方法に関する。
【背景技術】
【０００２】
たとえば、特許文献１には、シート状の正極、負極、およびセパレータを重ね合わせてから巻いた扁平捲回体（電極組立体）を金属製のケースに収容し、電極組立体とケースとの間に絶縁部材を介在させた蓄電装置が提案されている。【０００３】
ところで、蓄電装置の製造工程においては、ケースに電極組立体を円滑に挿入するため、ケースと絶縁部材との間に隙間を設けておくことが、好ましい。一方、製造工程においては、異物の混入を極力抑制するための対策が取られているものの、ケースに異物が混入する可能性は無くならない。この場合、導電性を有する異物がケースに混入すると、電極組立体とケースとがショートするおそれがある。すなわち、電極組立体をケースに収容した後に蓄電装置を充電すると、電極組立体が膨張して、電極組立体とケースとの間の間隙が小さくなる。このため、異物が絶縁部材に食い込み、異物がケースと電極組立体との双方に接触して、電極組立体とケースとがショートするおそれがある。電極組立体とケースとがショートした蓄電装置は、製品として出荷できないことから、歩留まりを低下させる。
【先行技術文献】
【特許文献】
【０００４】
【特許文献１】特開２００６−２７８２４５号公報
【発明の概要】
【発明が解決しようとする課題】
【０００５】
本発明の目的は、電極組立体とケースとのショートに起因する歩留まりの低下を抑制することのできる蓄電装置、およびその製造方法を提供することにある。
【課題を解決するための手段】
【０００６】
上記課題を解決するため、本発明の第一の態様によれば、金属薄板および金属薄板に接触している活物質層を備えた正極および負極の各電極が互いに絶縁された状態で積層されている電極組立体と、電極組立体が収容されているケースと、電極の積層方向に電極組立体と隣接する絶縁部材とを備え、ケースは少なくとも絶縁部材に対向する位置に導電性の部分を含む内壁を有し、絶縁部材の厚さは電極組立体が充電される前の絶縁部材に対向するケースの内壁と絶縁部材との間の隙間の積層方向の寸法以上に設定されている蓄電装置が提供される。【０００７】
蓄電装置の製造時、ケースに電極組立体および絶縁部材を収容した後、ケースと絶縁部材との間の隙間に入りうる異物の積層方向の寸法は、隙間の積層方向の寸法以下である。このため、異物の積層方向の寸法は、絶縁部材の厚さ以下となる。この場合、蓄電装置の充電により電極組立体が積層方向に膨張して異物が絶縁部材に食い込んだとしても、異物によって電極組立体とケースとがショートする事態を抑制できる。【０００８】
また、隙間の寸法がゼロの場合、少なくとも収容工程の後、絶縁部材とケースとの間の隙間に異物が混入することを回避できる。したがって、隙間の積層方向の寸法（＝０）よりも大きい厚さの絶縁部材、すなわち、ゼロよりも大きい任意の厚さの絶縁部材を有することで、収容工程の後にケースおよび絶縁部材間に異物が混入する事態は抑制される。【０００９】
いずれにせよ、蓄電装置が製造された段階で、異物の混入に起因して電極組立体とケースとがショートする事態は抑制される。したがって、電極組立体とケースとのショートに起因する歩留まりの低下を抑制することができる。【００１０】
尚、絶縁部材は、絶縁フィルム２１ａに対応し、積層方向は、図１のＹ方向に対応する。また、金属薄板は、金属箔２２，２６に対応し、「絶縁部材に対向するケースの内壁」は、図１の長辺側壁１３ｃの内壁に対応する。【００１１】
上記の蓄電装置において、絶縁部材の厚さは、電極組立体が充電される前に、絶縁部材に対向するケースの内壁と絶縁部材との間にゼロよりも大きい積層方向の寸法の隙間を確保可能に、設定されていることが好ましい。【００１２】
蓄電装置の製造時、ケースに電極組立体や絶縁部材を収容する際、絶縁部材とケースとの間には、ゼロよりも大きな寸法の隙間が確保されている。このため、電極組立体や絶縁部材に過度の荷重をかけずに、電極組立体や絶縁部材をケースの中へ円滑に収容することができる。尚、「確保可能な厚さ」は、図４における「Ｌ１−Ｌ２＞０」に対応する。【００１３】
上記の蓄電装置において、ケースの積層方向に交差する面以外の一つの面が、電極組立体をケースに収容する際にケースを開口させる蓋によって、構成されていることが好ましい。【００１４】
蓄電装置の製造時、絶縁部材とケースとが互いに摩擦することで、ケースに電極組立体や絶縁部材を収容することが困難になる場合がある。電極組立体や絶縁部材をケースの中へ円滑に収容できるようにするには、絶縁部材とケースとの間にゼロよりも大きな寸法の隙間を確保しておくことが望ましい。この点、本蓄電装置記載の事項の利用価値は、上記の蓄電装置において、特に大きい。尚、「交差する面以外一つの面」は、図１において蓋１４によって形成される面に対応する。【００１５】
上記の蓄電装置において、正極の電極は積層方向の両側からセパレータによって挟まれており、電極組立体は積層方向の両端部に負極の電極を有し、両端部の負極の電極はケースの内壁に対向する側にセパレータを有していないことが好ましい。【００１６】
この構成の場合、ケースの内壁に対向する側にセパレータを有している場合と比較して、ケースの内壁と電極組立体とがショートし易い。このことから、絶縁部材を備えることのメリットは、上記構成の蓄電装置において、特に大きい。【００１７】
上記の蓄電装置において、ケースの内壁のうち、少なくとも絶縁部材に対向する内壁は、アルミニウムを含む材料により構成されていることが好ましい。
この構成の場合、アルミニウムを含む材料は、軽量である割に高い強度を有し、良好な加工性を有している。一方、アルミニウムを含む材料からなるケースの内壁は、負極電極と短絡してショートすると、腐食するおそれがある。このため、絶縁部材を備えることのメリットは、上記構成の蓄電装置において、特に大きい。【００１８】
上記の蓄電装置において、電極組立体は、両端部の負極の電極と絶縁部材との間に、セラミック含有層を備えていることが好ましい。
この構成では、セラミック含有層を備えるために、電極組立体とケースの内壁との短絡を、より確実に抑制することができる。【００１９】
上記の蓄電装置において、ケースには、積層方向に沿ってケースから電極組立体に作用する荷重が付与されていることが好ましい。
この構成の場合、荷重を加えることによって、正極および負極の電極間の抵抗を低下させることができる。しかし、この場合、電極組立体および絶縁部材をケースの中へ収容した後にケースと絶縁部材との間の隙間に異物が混入すると、荷重によって、異物が絶縁部材に押しつけられる。このため、上記のような積層方向の寸法を有する絶縁部材の利用価値は、上記構成の蓄電装置において、特に大きい。【００２０】
上記の蓄電装置において、蓄電装置は、リチウムイオン二次電池であり、負極の電極は、シリコンを含む活物質を備えていることが好ましい。
この構成では、活物質のリチウムイオンの吸収、脱着に伴って、活物質の膨張収縮が顕著となる。この場合、電極組立体の積層方向の収縮が顕著となるため、電極組立体および絶縁部材をケースの中へ収容した後にケースと絶縁部材との間の隙間に異物が混入すると、異物が絶縁部材に押しつけられる。このため、上記のような積層方向の寸法を有する絶縁部材の利用価値は、上記構成の蓄電装置において、特に大きい。【００２１】
上記課題を解決するため、本発明の第二の態様によれば、金属薄板および金属薄板に接触している活物質層を備えた正極および負極の各電極が互いに絶縁された状態で積層されている電極組立体と、電極組立体が収容されているケースと、電極の積層方向に電極組立体と隣接する絶縁部材とを備えた蓄電装置の製造方法が提供される。この製造方法では、ケースは少なくとも絶縁部材に対向する位置に導電性の部分を含む内壁を有し、電極組立体および絶縁部材をケースに収容する収容工程を有し、絶縁部材の厚さは収容工程時の絶縁部材に対向するケースの内壁と絶縁部材との間の隙間の積層方向の寸法以上に設定されている。【００２２】
収容工程の後、ケースと絶縁部材との間の隙間に入りうる異物のサイズは、隙間の積層方向の寸法以下である。このため、異物の積層方向の寸法は、絶縁部材の厚さ以下となる。この場合、蓄電装置の充電により電極組立体が積層方向に膨張して異物が絶縁部材に食い込んだとしても、異物によって電極組立体とケースとがショートさせる事態を抑制できる。【００２３】
また、隙間の寸法がゼロの場合、少なくとも収容工程の後、絶縁部材とケースとの間の隙間に異物が混入することを回避できる。したがって、隙間の積層方向の寸法（＝０）よりも大きい厚さの絶縁部材、すなわち、ゼロよりも大きい任意の厚さの絶縁部材を有することで、収容工程の後にケースおよび絶縁部材間に異物が混入する事態は抑制される。【００２４】
いずれにせよ、蓄電装置が製造された段階で、異物の混入に起因して電極組立体とケースとがショートする事態は抑制される。したがって、電極組立体とケースとのショートに起因する歩留まりの低下を抑制することができる。尚、積層方向は、図１のＹ方向に対応する。また、金属薄板は、金属箔２２，２６に対応し、「絶縁部材に対向するケースの内壁」は、図１の長辺側壁１３ｃの内壁に対応する。【００２５】
上記の製造方法において、収容工程は、電極組立体および絶縁部材をケースの積層方向に交差する面以外の一つの面からケースに収容する工程であり、絶縁部材の厚さは、収容工程時に、絶縁部材に対向するケースの内壁と絶縁部材との間にゼロよりも大きい積層方向の寸法の隙間を確保可能に、設定されていることが好ましい。【００２６】
収容工程時、絶縁部材とケースとの間には、ゼロよりも大きな寸法の隙間が確保されている。このため、電極組立体や絶縁部材に過度の荷重をかけずに、電極組立体や絶縁部材をケースの中へ円滑に収容することができる。尚、「確保可能な厚さ」は、図４における「Ｌ１−Ｌ２＞０」に対応する。また、「交差する面以外の一つの面」は、図１において蓋１４によって形成される面に対応する。
【図面の簡単な説明】
【００２７】
【図１】本発明の一実施形態にかかる蓄電装置の分解斜視図。
【図２】電極組立体の分解斜視図。
【図３】電極組立体の収容工程の一部を示す斜視図。
【図４】収容工程の完了直後における蓄電装置の断面図。
【図５】蓄電モジュールの構成を示す分解斜視図。
【図６】変形例にかかる収容工程の完了直後における蓄電装置の断面図。
【発明を実施するための形態】
【００２８】
以下、本発明の蓄電装置の一実施形態を図１〜図５を参照して説明する。
図１は、二次電池１０の構成を示すとともに、二次電池１０を説明する際に定義したＸ，Ｙ，Ｚの座標軸を示す。これら座標軸の矢印の方向が正方向である。
【００２９】
図１に示す二次電池１０は、車両の走行に利用される回転電機に電力を供給したり、回転電機の回生エネルギを蓄えたりする蓄電装置である。二次電池１０は、複数の二次電池１０を直列に接続した組電池の形態で、利用される。二次電池１０はリチウムイオン二次電池を想定している。
【００３０】
二次電池１０は、ケース１２と、ケース１２に収容された電極組立体２０とを備えている。ケース１２は、開口部１３ｄを有する直方体状のケース本体１３と、ケース本体１３の開口部１３ｄを閉塞する矩形平板状の蓋１４とを備えている。ケース本体１３と蓋１４とは、ステンレス鋼やアルミニウム合金等の金属からなる。ケース本体１３と蓋１４とは、レーザー溶接によって接合されている。ケース本体１３は、対向する一対の短辺及び対向する一対の長辺を有する長方形状の底板１３ａと、底板１３ａの短辺に直交する一対の短辺側壁１３ｂと、底板１３ａの長辺に直交する一対の長辺側壁１３ｃとを備えている。このように、二次電池１０は、角型の外周形状を有する角型電池である。蓋１４には、一対の挿入孔１４ｂが、所定の間隔をあけて設けられている。
【００３１】
図２に示すように、電極組立体２０は、正極電極２４、負極電極２８、および正極電極２４と負極電極２８とを絶縁するセパレータ２５を備えている。正極電極２４は、正極の金属箔（アルミニウム箔）２２の両面に活物質２３を塗布して構成されている。負極電極２８は、負極の金属箔（銅箔）２６の両面に活物質２７を塗布して構成されている。活物質２７は、シリコンを含んでいる。電極組立体２０は、複数の正極電極２４と複数の負極電極２８とを交互に積層するとともに両電極間にセパレータを介在した積層構造を有している。正極電極２４は、正極の金属箔２２の端部から突出した正極集電タブ３１を備えている。負極電極２８は、負極の金属箔２６の端部から突出した負極集電タブ３２を備えている。セパレータ２５は、正極電極２４のうち正極集電タブ３１以外の部分を覆っている。
【００３２】
図１に示すように、電極組立体２０のうち蓋１４に対向する以外の面は、絶縁フィルム２１により覆われている。すなわち、絶縁フィルム２１は、正極電極２４および負極電極２８の積層方向に電極組立体２０の両側と隣接する一対の絶縁フィルム２１ａと、短辺側壁１３ｂに対向する一対の絶縁フィルム２１ｂと、底板１３ａに対向する絶縁フィルム２１ｃとを備えている。絶縁フィルム２１は、たとえば、ポリフェニレンサルファイド［ＰＰＳ］や、ポリプロピレン［ＰＰ］、ポリエチレン［ＰＥ］等によって形成してもよい。
【００３３】
複数の正極電極２４は、正極集電タブ３１が積層方向に列状に配置されるように、積層されている。同様に、複数の負極電極２８も、正極集電タブ３１と重ならない位置で負極集電タブ３２が積層方向に列状に配置されるように、積層されている。また、積層方向の一方の端部（Ｙ軸の正方向の端部）に位置する正極集電タブ３１以外の正極集電タブ３１が積層方向の一方の端部に集められてから、複数の正極集電タブ３１の全てが積層方向の他方の端部に向けて折り返されている。上記と同様に、積層方向の一方の端部に位置する負極集電タブ３３以外の負極集電タブ３３が積層方向の一方の端部に集められてから、複数の負極集電タブ３２の全てが積層方向の他方の端部に向けて折り返されている。
【００３４】
正極導電部材３３および負極導電部材３７は、金属製の板状部材からなり、端子接続部３４と、電極組立体２０から蓋１４に向けて立ち上がる立上げ部３５と、立上げ部３５から端子接続部３４より離れる方向に延びるタブ溶接部３６とを備えている。
【００３５】
複数の正極集電タブ３１の集合体である正極タブ群４５は、スポット溶接により、正極導電部材３３のタブ溶接部３６に接合されている。また、複数の負極集電タブ３２の集合体である負極タブ群４６は、スポット溶接により、負極導電部材３７のタブ溶接部３６に接合されている。
【００３６】
正極導電部材３３の端子接続部３４には、正極端子４１が接合されている。負極導電部材３７の端子接続部３４には、負極端子４２が接合されている。正極端子４１および負極端子４２は、それぞれ円板状の基部４３と、基部４３の中央から上方に延びる円筒状の極柱部４４とを備えている。基部４３には、合成樹脂製の蓋側カバー５０と組立体側カバー６０とが装着されている。蓋側カバー５０は、貫通孔５０ａを備えている。蓋側カバー５０は、貫通孔５０ａに極柱部４４が挿入された状態で、正極端子４１や負極端子４２に装着されている。基部４３上には、シール部材としてのＯリング５６が、極柱部４４を取り囲むように配置されている。Ｏリング５６は、蓋側カバー５０の貫通孔５０ａ内に配置されている。このため、Ｏリング５６の全周が、貫通孔５０ａの内周面によって取り囲まれている。
【００３７】
正極端子４１および負極端子４２の各基部４３は、極柱部４４とケース本体１３との間に配置されている。極柱部４４は、蓋側カバー５０の貫通孔５０ａに挿入された状態で、蓋１４の挿入孔１４ｂを通ってケース１２の外部に突出（露出）している。蓋１４の挿入孔１４ｂの内周面と、極柱部４４の外周面とは、端子絶縁部材１９によって絶縁されている。
【００３８】
極柱部４４には、ケース１２の外方からナット５５が嵌められる。蓋１４の外面１４ｃにおける挿入孔１４ｂの周縁と、蓋１４に面するナット５５の端面との間には、端子絶縁部材１９が挟持されている。端子絶縁部材１９によって、ナット５５と蓋１４とが絶縁されている。また、ナット５５が極柱部４４に嵌められることによって、ナット５５と基部４３との間に端子絶縁部材１９、蓋１４、Ｏリング５６および蓋側カバー５０が狭持されるとともに、正極端子４１および負極端子４２が蓋１４に締結される。この状態で、Ｏリング５６は、圧縮状態で蓋１４および基部４３に密接し、挿入孔１４ｂの周囲をシールしている。
【００３９】
次に、上記の二次電池１０の製造方法を、図１及び図３を参照して説明する。
図１に示すように、電極組立体２０をケース本体１３に収容するのに先立って、電極組立体２０を蓋１４に固定する。すなわち、正極集電タブ３１および正極端子４１を正極導電部材３３に接合するとともに、負極集電タブ３２および負極端子４２を負極導電部材３７に接合する。そして、正極端子４１および負極端子４２のそれぞれの基部４３およびナット５５間に、Ｏリング５６、蓋側カバー５０、蓋１４および端子絶縁部材１９を挟んだ状態で、正極端子４１および負極端子４２のそれぞれの極柱部４４にナット５５を締め付ける。
【００４０】
図３に示すように、極端子４１および負極端子４２にナット５５を締め付けた後、絶縁フィルム２１ａが積層された電極組立体２０および蓋１４を、ケース本体１３に収容する収容工程を行う。図３において、Ｚ軸の正方向が上方である。すなわち、ケース本体１３の開口部１３ｄを上方に向けた状態で、電極組立体２０を、蓋１４とともに、ケース本体１３に向けて搬送する。そして、蓋１４と逆側に位置する電極組立体２０の底部がケース本体１３内に入った後は、蓋１４を支持しながら下方に移動させる。そして、ケース本体１３の上部に蓋１４が載置されることで、収容工程が完了する。収容工程後は、ケース本体１３と蓋１４とを溶接する工程等が行われる。
【００４１】
図４は、収容工程の完了時におけるケース本体１３、電極組立体２０、および絶縁フィルム２１ａのＹＺ平面に沿った断面を示す。
図４に示すように、正極電極２４および負極電極２８の積層方向であるＹ軸方向における電極組立体２０の厚さをＬ４とし、積層方向におけるケース本体１３の一対の長辺側壁１３ｃの内壁面間の距離をＬ１とし、絶縁フィルム２１ａの厚さをＬ３とし、積層方向における電極組立体２０および絶縁フィルム２１ａの合計の厚さＬ２とする。絶縁フィルム２１ａは、電極組立体２０の積層方向の両側に設けられているため、「Ｌ２＝Ｌ４＋２・Ｌ３」が成立する。
【００４２】
絶縁フィルム２１ａの厚さＬ３は、距離Ｌ１から厚さＬ２を減算した値「Ｌ１−Ｌ２」がゼロよりも大きくなるように設定されている。換言すれば、絶縁フィルム２１ａおよび電極組立体２０をケース本体１３に収容する際、ケース本体１３と絶縁フィルム２１ａとの間にゼロよりも大きな積層方向の寸法を有する隙間を確保できるように、絶縁フィルム２１ａの値が調整されている。これは、収容工程において、電極組立体２０および絶縁フィルム２１ａをケース本体１３の中へ円滑に収容するためである。
【００４３】
ただし、この隙間は、二次電池１０の充電によって電極組立体２０が膨張した後に絶縁フィルム２１ａを介して電極組立体２０とケース本体１３の長辺側壁１３ｃとが互いに作用反作用の力を受ける程度の大きさに、制限されている。詳しくは、二次電池１０が下限の充電率（State of Charge）で使用されているとき、絶縁フィルム２１ａとケース本体１３の長辺側壁１３ｃとの間の隙間の積層方向の寸法がゼロになるように、絶縁フィルム２１ａの厚さＬ３が調整されている。これは、二次電池１０の使用時に絶縁フィルム２１ａとケース本体１３の長辺側壁１３ｃとの間にゼロよりも大きな寸法の隙間がある場合、電極組立体２０の積層構造が剥離等によって崩れることが懸念されるためである。
【００４４】
さらに、絶縁フィルム２１ａの厚さＬ３は、距離Ｌ１から厚さＬ２を減算した値「Ｌ１−Ｌ２」よりも大きい値に設定されている。ただし、絶縁フィルム２１ａの厚さＬ３を過度に大きくする場合、二次電池１０の容積に対するエネルギ充填量の比率であるエネルギ充填密度の低下を招く虞がある。このため、絶縁フィルム２１ａの厚さＬ３は、値「Ｌ１−Ｌ２」に対して過度に大きくならないことが望ましく、値「Ｌ１−Ｌ２」に極力近い値であることがより望ましい。
【００４５】
上記工程によって製造された二次電池１０を車両に搭載するのに先立って、図５に示すように、複数の二次電池１０が並設されてモジュール化された蓄電モジュール８０が製造される。
【００４６】
図５に示すように、蓄電モジュール８０は、複数の拘束板を有している。蓄電モジュール８０を構成する各二次電池１０には、拘束板を通じて、拘束荷重が付与されている。拘束板は、第１の拘束板８２と第２の拘束板８４とを含む。第１の拘束板８２は、複数の二次電池１０のうち最も外側に位置する二次電池１０よりも並設方向の外側に位置し、エンドプレートとして機能している。一方、第２の拘束板８４は、第１の拘束板８２よりも二次電池１０の並設方向の内側に位置し、二次電池１０の長辺側壁１３ｃに面している。
【００４７】
各第１の拘束板８２の四隅には、通しボルト８６が挿通されている。また、各通しボルト８６には、ナット８８が螺合されている。これにより、全ての二次電池１０及び全ての第２の拘束板８４は、二次電池１０の並設方向に挟持された状態で一体化されている。また、これにより、各二次電池１０は、各第１の拘束板８２と各第２の拘束板８４と各通しボルト８６と各ナット８８とからなる拘束部材によって、二次電池１０の並設方向に拘束されている。この拘束により、二次電池１０の並設方向に位置するケース本体１３の長辺側壁１３ｃに拘束荷重が付与されるとともに、長辺側壁１３ｃを通じて、積層方向Ｙに沿って長辺側壁１３ｃから電極組立体２０に作用する荷重が、電極組立体２０に付与されている。
【００４８】
各第２の拘束板８４は、孔８４ｃを有している。孔８４ｃは、第２の拘束板８４を二次電池１０に並設した状態で電極組立体２０に対向する部分の中央に設けられている。これにより、拘束荷重が第２の拘束板８４を介して二次電池１０に付与される際、第２の拘束板８４に孔８４ｃが形成されていることから、長辺側壁１３ｃに接触している第２の拘束板８４の接触面８４ａ，８４ｂを通じて、上記の拘束荷重が各二次電池１０に付与される。この場合、第２の拘束板８４との接触によって拘束荷重が付与されている部位では、電極組立体２０の極間距離が小さくなり、抵抗が低下する。よって、電流が流れやすくなり、発熱が増加する。しかし、拘束荷重が付与されている部位は、孔８４ｃの領域外であって電極組立体２０の縁部近傍に位置していることから、高い放熱性を有している。一方、第２の拘束板８４と接触しておらずかつ孔８４ｃと対向する部位では、拘束荷重が付与されてないことから、電極組立体２０の極間距離が長くなり、抵抗が高くなる。よって、電流が流れ難くなり、発熱が低下する。
【００４９】
次に、上記の二次電池１０の作用を図３、図４を参照して説明する。
図３に示す電極組立体２０の収容工程が完了した時点で、電極組立体２０の積層方向の両側に設けられた絶縁フィルム２１ａとケース本体１３の長辺側壁１３ｃとの間には、積層方向にゼロよりも大きな寸法の隙間が存在する。このため、たとえば、収容工程後に行われる蓋１４とケース本体１３との溶接工程で、スパッタ等の導電性の異物が、絶縁フィルム２１ａとケース本体１３の長辺側壁１３ｃとの間に混入する可能性がある。図４は、異物７０が混入した状態を示している。この状態で二次電池１０が充電されて電極組立体２０が積層方向に膨張すると、異物７０は絶縁フィルム２１ａに食い込む。しかし、異物７０の積層方向の寸法は、絶縁フィルム２１ａとケース本体１３の長辺側壁１３ｃとの間の隙間の積層方向の寸法によって制限されている。このため、異物７０の積層方向の寸法は「Ｌ１−Ｌ２」以下となると考えられる。図４に示すように、絶縁フィルム２１ａとケース本体１３の長辺側壁１３ｃとの間の隙間に異物７０が混入している場合、その隙間の積層方向の寸法は「Ｌ１−Ｌ２」未満である。しかし、電極組立体２０およびその両側の絶縁フィルム２１ａをケース本体１３に収容した時点で、電極組立体２０の積層方向の中央部分が、ケース本体１３の一対の長辺側壁１３ｃの内壁面間の中央に一致しているとは限らない。このため、絶縁フィルム２１ａとケース本体１３の長辺側壁１３ｃとの間の隙間に異物７０が混入している場合、その隙間の積層方向の寸法の最大値は「Ｌ１−Ｌ２」となり、異物７０の積層方向の寸法の最大値も「Ｌ１−Ｌ２」となる。
【００５０】
上述したように、絶縁フィルム２１ａの厚さＬ３は、「Ｌ１−Ｌ２」よりも大きい値に設定されている。このため、異物７０が絶縁フィルム２１ａの内部に完全に埋め込まれたとしても、異物７０によって電極組立体２０とケース本体１３とがショートすることを十分に抑制することができる。
【００５１】
電極組立体２０および絶縁フィルム２１ａの収容工程よりも前に、ケース本体１３の長辺側壁１３ｃの内壁面に異物が付着することもある。この場合、付着した異物の大きさは、絶縁フィルム２１ａとケース本体１３の長辺側壁１３ｃとの間の隙間によって制限されない。しかしながら、この付着した異物の積層方向の寸法が「Ｌ１−Ｌ２」を上回る場合、収容工程時、電極組立体２０および絶縁フィルム２１ａを収容するときに支障をきたすことになる。このため、収容工程の段階で、異物の混入を容易に検知することができる。異物の混入が検知されれば、異物によって電極組立体２０とケース本体１３とがショートした二次電池１０の製造を回避することができる。また、異物の積層方向の寸法が「Ｌ１−Ｌ２」を上回る場合、収容工程において、異物がケース本体１３の底板１３ａに移動することも考えられる。この場合、二次電池１０の充電によって電極組立体２０が積層方向に膨張しても、異物が電極組立体２０と底板１３ａとがショートすることはない。電極組立体２０と底板１３ａとの間に、絶縁フィルム２１とは別に、絶縁性のセパレータ等を配置することがある。この場合、異物による電極組立体２０と底板１３ａとのショートは、より一層生じにくい。
【００５２】
以上、本実施形態によれば、以下に記載する効果が得られる。
（１）絶縁フィルム２１ａの厚さＬ３を「Ｌ１−Ｌ２」よりも大きくすることで、異物がフィルムを貫通することを抑制できる。その結果、異物によって電極組立体２０とケース本体１３とがショートした二次電池１０の製造を抑制することができる。したがって、電極組立体２０とケース本体１３とのショートに起因する歩留まりの低下を抑制することができる。
【００５３】
（２）絶縁フィルム２１ａの厚さＬ３は、収容工程において「Ｌ１−Ｌ２」がゼロよりも大きくなるように設定されている。これにより、電極組立体２０および絶縁フィルム２１ａをケース本体１３の中へ円滑に収容することができる。
【００５４】
（３）絶縁フィルム２１ａの厚さＬ３は、二次電池１０がＳＯＣの下限値で使用されているときに絶縁フィルム２１ａとケース本体１３との間の隙間の積層方向の寸法がゼロになるように、設定されている。これにより、電極組立体２０の積層構造が剥離等によって崩れることを抑制できる。
【００５５】
(４)電極組立体２０は、積層方向である図４のＹ軸方向の両端部に、負極電極２８を備えている。この場合、電極組立体２０の積層方向の両端部にセパレータ２５を配置した場合と比較して、ケース本体１３と電極組立体２０との間に絶縁フィルム２１ａを介在させてケース本体１３と電極組立体２０とを絶縁することのメリットが、特に大きい。さらに、電極組立体２０の積層方向の両端部にセパレータ２５を配置した場合と比較して、絶縁フィルム２１ａの厚さＬ３を「Ｌ１−Ｌ２」よりも大きい値に設定することのメリットが、特に大きい。
【００５６】
（５）ケース本体１３は、アルミ合金によって構成されている。アルミ合金は、軽量である割に高い強度を有し、良好な加工性を有している。一方、アルミ合金製のケース本体１３は、負極電極２８と短絡してショートすると、腐食するおそれがある。このため、厚さＬ３が「Ｌ１−Ｌ２」よりも大きい絶縁フィルム２１ａの利用価値は、アルミ合金製のケース本体１３を用いた場合に、特に大きい。
【００５７】
（６）第２の拘束板８４との接触によって、二次電池１０に対して、積層方向に拘束荷重が加えられる。このとき、孔８４ｃと対向する部位には、拘束荷重が加えられない。このため、放熱性が高い孔８４ｃと対向する部位の周囲では、極間距離が小さくなり、電流が流れやすくなる。このため、セパレータ２５の目詰まりの不均一化が生じにくい。ただし、この場合、荷重が加えられるため、ケース本体１３の長辺側壁１３ｃと電極組立体２０との間に異物が混入した場合には、ケース本体１３の長辺側壁１３ｃと電極組立体２０とがショートしやすい。このため、厚さＬ３が「Ｌ１−Ｌ２」よりも大きい絶縁フィルム２１ａの利用価値は、特に大きい。
【００５８】
（７）二次電池１０は、リチウムイオン二次電池であり、かつ活物質２７にシリコンを含む。この場合、活物質２７のリチウムイオンの吸収、脱着に伴って、活物質２７の膨張及び収縮が顕著となる。このため、ケース本体１３と電極組立体２０との間に絶縁フィルム２１を備えない場合や、絶縁フィルム２１ａの厚さが薄い場合には、電極組立体２０とケース本体１３との間に異物が混入すると、ケース本体１３と電極組立体２０とがショートする可能性が高い。このため、厚さＬ３が「Ｌ１−Ｌ２」よりも大きい絶縁フィルム２１ａの利用価値は、特に大きい。
【００５９】
本実施形態を、以下のように変更してもよい。
・図３のＺ軸方向を上下方向としたが、たとえば、Ｙ軸方向を上下方向としてもよい。
・正極電極２４および負極電極２８の積層方向以外の方向に電極組立体２０をケース本体１３に対して移動させてケース本体１３に収容する構成として、たとえば、図１の短辺側壁１３ｂの一方が蓋であるケースを用いてもよい。この場合、図１のＸ軸方向に電極組立体２０をケース本体１３に対して移動させて、ケース本体１３に収容すればよい。
【００６０】
・電極組立体２０と絶縁フィルム２１ａとの積層体をケース本体１３に収容する構成として、たとえば、電極組立体２０と積層方向に対向する壁面（長辺側壁１３ｃ）の一方が蓋であるケースを用いてもよい。この場合、ケースの底面に絶縁フィルム２１ａを配置してから、電極組立体２０をケースに収容し、その後、電極組立体２０の蓋に対向する面に、別の絶縁フィルム２１ａを配置してもよい。
【００６１】
・未充電時における電極組立体２０および絶縁フィルム２１ａの積層方向の合計厚さＬ２が一対の長辺側壁１３ｃの内壁間の距離Ｌ１よりも小さいとの条件によって、絶縁フィルム２１ａの厚さＬ３の上限値を規定しなくてもよい。たとえば、未充電時における電極組立体２０および絶縁フィルム２１ａの積層方向の合計厚さＬ２を、距離Ｌ１と等しくするか、距離Ｌ１よりもわずかに大きくしてもよい。つまり、電極組立体２０の収容工程や収容工程の完了直後に、長辺側壁１３ｃの内壁と電極組立体２０とが互いに積層方向に力が作用する状態であってもよい。上記の構成は、長辺側壁１３ｃの一方が蓋であるケースを用いる場合であっても、容易に実現することができる。
【００６２】
・絶縁フィルム２１は、絶縁フィルム２１ｃ無しで、絶縁フィルム２１ａ，２１ｂのみを備えたり、絶縁フィルム２１ｂ無しで、絶縁フィルム２１ａ，２１ｃのみを備えたり、絶縁フィルム２１ｂ，２１ｃ無しで、絶縁フィルム２１ａのみを備えたりしてもよい。また、蓋１４に対向する面に絶縁フィルムを設けてもよい。この場合、正極タブ群４５や負極タブ群４６を完全には覆わないように、絶縁フィルムを設ける必要がある。
【００６３】
・図６に示すように、負極電極２８のうち負極集電タブ３１以外の部分を、耐熱層としてのセラミック含有層９０により覆ってもよい。セラミック含有層９０は、セラミック粒子と樹脂製のバインダとからなる絶縁性を有するコート材を用いて構成すればよい。この場合、セラミック含有層９０が絶縁層であるため、絶縁フィルム２１ａの厚さＬ３は、「Ｌ１−Ｌ２」よりも大きい値に代えて、「Ｌ１−Ｌ２」に等しい値であってもよい。図６は、図４に対応する図である。図６において、図４に示す部材と対応する部材には、同一の符号が付されている。
【００６４】
・セパレータ２５を、セラミック含有層としてもよい。
・電極組立体２０の積層方向の両端部に、正極電極２４を覆うセパレータ２５を配置してもよい。この場合、絶縁フィルム２１ａの厚さＬ３は、「Ｌ１−Ｌ２」よりも大きい値に代えて、「Ｌ１−Ｌ２」に等しい値であってもよい。
【００６５】
・電極組立体２０とケース本体１３の長辺側壁１３ｃとの間に設けられる絶縁部材は、単一の絶縁フィルム２１ａ以外に、たとえば、複数の絶縁フィルムの積層体であってもよい。この場合、各絶縁フィルムの厚さは、等しくなくてもよい。この構成によれば、積層体の厚さを「Ｌ１−Ｌ２」よりも大きくするとの要求事項と、二次電池１０の充電によって電極組立体２０が膨張した後に積層体を介して電極組立体２０とケース本体１３の長辺側壁１３ｃとが互いに作用反作用の力を受けるとの要求事項とを、満たすことが容易である。この場合、積層体を構成する絶縁フィルムの数や各絶縁フィルムの厚さを変更することで、収容工程時の電極組立体２０とケース本体１３の長辺側壁１３ｃとの間の間隔を調整することができる。
【００６６】
・電極組立体２０に隣接して配置される絶縁部材は、絶縁フィルム２１ａ以外に、たとえば、可撓性を有しない板状部材であってもよい。
・アルミニウムを含む材料からなるケース本体１３は、アルミニウム合金以外に、アルミニウム単体から構成してもよい。
【００６７】
・負極の活物質２７がシリコンを含むことは、必須ではない。シリコンを含まない場合であっても、電極組立体２０が充電されて積層方向に膨張するのであれば、上記実施形態のように絶縁フィルム２１を備えることは、有効である。
【００６８】
・ケースは、カーボン製であってもよい。この場合も、ケースは導電性を有することから、ケース本体１３と電極組立体２０との間に異物が混入することで、ケース本体１３と電極組立体２０とがショートする可能性がある。このため、絶縁フィルム２１ａの厚さＬ３を上記実施形態のように調整することは、有効である。
【００６９】
・ケース本体１３の全体が導電性を有することも、必須ではない。たとえば、ケース本体１３の底板１３ａのみ絶縁体であってもよい。
・収容工程に先立って、正極集電タブ３１や負極集電タブ３２と蓋１４とを連結しなくてもよい。正極集電タブ３１と正極端子４１とを接続する構成や負極集電タブ３２と負極端子４２とを接続する構成によっては、収容工程後に正極集電タブ３１や負極集電タブ３２と蓋１４とを連結してもよい。
【００７０】
・金属薄板は、金属箔２２，２６以外に、たとえば、活物質が充填された織物状や網状の基材シートであってもよい。
・蓄電装置は、リチウムイオン二次電池に限らない。要は、正極電極および負極電極の積層体を備えかつ充電されると積層体が積層方向に膨張する蓄電装置であればよい。
【００７１】
・蓄電装置は、車載用途以外に、たとえば、住宅用途であってもよい。
・電極組立体２０は、帯状の正極電極と負極電極とを帯状のセパレータと共に捲回して積層構造とした捲回体であってもよい。この場合、図１のＸＹ平面に沿った蓄電装置の断面形状は、楕円形状であってもよい。
【００７２】
・蓄電装置の積層方向の両側に対し上記積層方向に沿ってケース本体１３から電極組立体２０に作用する荷重が付与される構成として、たとえば、第２の拘束板８４に孔８４ｃが設けられていない構成であってもよい。
【符号の説明】
【００７３】
Ｌ１…距離、Ｌ２，Ｌ３，Ｌ４…厚さ、１０…二次電池、１２…ケース、１３ｃ…長辺側壁、１３ｄ…開口部、１４…蓋、２０…電極組立体、２１…絶縁フィルム、２２…金属箔、２３…活物質、２４…正極電極、２６…金属箔、２７…活物質、２８…負極電極。
【図１】
2016031501.tif 000003
【図２】
2016031501.tif 000004
【図３】
2016031501.tif 000005
【図４】
2016031501.tif 000006
【図５】
2016031501.tif 000007
【図６】
2016031501.tif 000008
【手続補正書】
【提出日】平成28年2月9日(2016.2.9)
【手続補正１】
【補正対象書類名】特許請求の範囲
【補正対象項目名】全文
【補正方法】変更
【補正の内容】
【特許請求の範囲】
【請求項１】
金属薄板および前記金属薄板に接触している活物質層を備えた正極および負極の各電極が互いに絶縁された状態で積層されている電極組立体と、
前記電極組立体が収容されているケースと、
前記電極の積層方向に前記電極組立体と隣接する絶縁部材とを備え、
前記ケースは、少なくとも前記絶縁部材に対向する位置に、導電性の部分を含む内壁を有し、
前記絶縁部材の厚さは、前記電極組立体が充電される前の前記絶縁部材に対向する前記ケースの内壁と前記絶縁部材との間の隙間の前記積層方向の寸法以上に、設定されている蓄電装置。
【請求項２】
前記絶縁部材の厚さは、前記電極組立体が充電される前に、前記絶縁部材に対向する前記ケースの内壁と前記絶縁部材との間にゼロよりも大きい前記積層方向の寸法の隙間を確保可能に、設定されている請求項１記載の蓄電装置。
【請求項３】
前記ケースの前記積層方向に交差する面以外の一つの面が、前記電極組立体を前記ケースに収容する際にケースを開口させる蓋によって、構成されている請求項１または請求項２記載の蓄電装置。
【請求項４】
前記正極の電極は、前記積層方向の両側からセパレータによって挟まれており、
前記電極組立体は、前記積層方向の両端部に、前記負極の電極を有し、
前記両端部の前記負極の電極は、前記ケースの内壁に対向する側に、セパレータを有していない請求項１〜請求項３のいずれか一項に記載の蓄電装置。
【請求項５】
前記ケースの内壁のうち、少なくとも前記絶縁部材に対向する内壁は、アルミニウムを含む材料により構成されている請求項４記載の蓄電装置。
【請求項６】
前記電極組立体は、前記両端部の負極の電極と前記絶縁部材との間に、セラミック含有層を備えている請求項４または請求項５記載の蓄電装置。
【請求項７】
前記ケースには、前記積層方向に沿って前記ケースから前記電極組立体に作用する荷重が付与されている請求項１〜請求項６のいずれか一項に記載の蓄電装置。
【請求項８】
前記蓄電装置は、リチウムイオン二次電池であり、
前記負極の電極は、シリコンを含む活物質を備えている請求項１〜請求項７のいずれか一項に記載の蓄電装置。
【請求項９】
前記蓄電装置は、積層型蓄電電池である請求項１〜請求項８のいずれか一項に記載の蓄電装置。
【請求項１０】
前記絶縁部材は、可撓性を有しない板状部材からなる請求項１〜請求項９のいずれか一項に記載の蓄電装置。
【請求項１１】
前記絶縁部材は、前記電極組立体の前記積層方向の両端部に位置する電極の全面と隣接している請求項１〜請求項１０のいずれか一項に記載の蓄電装置。
【請求項１２】
前記絶縁部材の厚さは、前記電極組立体が膨張している状態で前記絶縁部材に対向する前記ケースの内壁と前記絶縁部材との間の隙間の積層方向の寸法がゼロになるように、設定されている請求項１〜請求項１１のいずれか一項に記載の蓄電装置。
【請求項１３】
蓄電装置であって、
金属薄板および前記金属薄板に接触している活物質層を備えた正極および負極の各電極が互いに絶縁された状態で積層されている電極組立体と、
前記電極組立体が収容されているケースと、
前記電極の積層方向に前記電極組立体と隣接する絶縁部材とを備え、
前記ケースは、少なくとも前記絶縁部材に対向する位置に、導電性の部分を含む内壁を有し、
前記絶縁部材の厚さは、前記電極組立体が充電される前の前記絶縁部材に対向する前記ケースの内壁と前記絶縁部材との間の隙間の前記積層方向の寸法以上に、設定され、
前記蓄電装置は、積層型蓄電電池からなるリチウムイオン二次電池であり、
前記絶縁部材は、可撓性を有しない板状部材からなり、
前記絶縁部材は、前記電極組立体の前記積層方向の両端部に位置する電極の全面と隣接し、
前記絶縁部材の厚さは、前記電極組立体が膨張している状態で前記絶縁部材に対向する前記ケースの内壁と前記絶縁部材との間の隙間の積層方向の寸法がゼロになるように、設定されている蓄電装置。
【請求項１４】
金属薄板および前記金属薄板に接触している活物質層を備えた正極および負極の各電極が互いに絶縁された状態で積層されている電極組立体と、前記電極組立体が収容されているケースと、前記電極の積層方向に前記電極組立体と隣接する絶縁部材とを備えた蓄電装置の製造方法において、
前記ケースは、少なくとも前記絶縁部材に対向する位置に、導電性の部分を含む内壁を有し、
前記電極組立体および前記絶縁部材を前記ケースに収容する収容工程を有し、
前記絶縁部材の厚さは、前記収容工程時の前記絶縁部材に対向する前記ケースの内壁と前記絶縁部材との間の隙間の前記積層方向の寸法以上に、設定されていることを特徴とする蓄電装置の製造方法。
【請求項１５】
前記収容工程は、前記電極組立体および前記絶縁部材を前記ケースの前記積層方向に交差する面以外の一つの面から前記ケースに収容する工程であり、
前記絶縁部材の厚さは、前記収容工程時に、前記絶縁部材に対向する前記ケースの内壁と前記絶縁部材との間にゼロよりも大きい前記積層方向の寸法の隙間を確保可能に、設定されている請求項１４記載の蓄電装置の製造方法。
【手続補正２】
【補正対象書類名】明細書
【補正対象項目名】０００４
【補正方法】変更
【補正の内容】
【０００４】
向する内壁は、アルミニウムを含む材料により構成されていることが好ましい。
この構成の場合、アルミニウムを含む材料は、軽量である割に高い強度を有し、良好な加工性を有している。一方、アルミニウムを含む材料からなるケースの内壁は、負極電極と短絡してショートすると、腐食するおそれがある。このため、絶縁部材を備えることのメリットは、上記構成の蓄電装置において、特に大きい。
［００１８］
上記の蓄電装置において、電極組立体は、両端部の負極の電極と絶縁部材との間に、セラミック含有層を備えていることが好ましい。
この構成では、セラミック含有層を備えるために、電極組立体とケースの内壁との短絡を、より確実に抑制することができる。
［００１９］
上記の蓄電装置において、ケースには、積層方向に沿ってケースから電極組立体に作用する荷重が付与されていることが好ましい。
この構成の場合、荷重を加えることによって、正極および負極の電極間の抵抗を低下させることができる。しかし、この場合、電極組立体および絶縁部材をケースの中へ収容した後にケースと絶縁部材との間の隙間に異物が混入すると、荷重によって、異物が絶縁部材に押しつけられる。このため、上記のような積層方向の寸法を有する絶縁部材の利用価値は、上記構成の蓄電装置において、特に大きい。
［００２０］
上記の蓄電装置において、蓄電装置は、リチウムイオン二次電池であり、負極の電極は、シリコンを含む活物質を備えていることが好ましい。
この構成では、活物質のリチウムイオンの吸収、脱着に伴って、活物質の膨張収縮が顕著となる。この場合、電極組立体の積層方向の収縮が顕著となるため、電極組立体および絶縁部材をケースの中へ収容した後にケースと絶縁部材との間の隙間に異物が混入すると、異物が絶縁部材に押しつけられる。このため、上記のような積層方向の寸法を有する絶縁部材の利用価値は、上記構成の蓄電装置において、特に大きい。
上記の蓄電装置において、蓄電装置は、積層型蓄電電池であることが好ましい。
上記の蓄電装置において、絶縁部材は、可撓性を有しない板状部材からなることが好ましい。
上記の蓄電装置において、絶縁部材は、電極組立体の前記積層方向の両端部に位置する電極の全面と隣接していることが好ましい。
上記の蓄電装置において、絶縁部材の厚さは、電極組立体が膨張している状態で絶縁部材に対向するケースの内壁と絶縁部材との間の隙間の積層方向の寸法がゼロになるように、設定されていることが好ましい。
上記課題を解決するため、本発明の第二の態様によれば、金属薄板および前記金属薄板に接触している活物質層を備えた正極および負極の各電極が互いに絶縁された状態で積層されている電極組立体と、電極組立体が収容されているケースと、電極の積層方向に電極組立体と隣接する絶縁部材とを備え、ケースは、少なくとも絶縁部材に対向する位置に、導電性の部分を含む内壁を有し、絶縁部材の厚さは、電極組立体が充電される前の絶縁部材に対向するケースの内壁と絶縁部材との間の隙間の積層方向の寸法以上に、設定され、蓄電装置は、積層型蓄電電池からなるリチウムイオン二次電池であり、絶縁部材は、可撓性を有しない板状部材からなり、絶縁部材は、電極組立体の積層方向の両端部に位置する電極の全面と隣接し、絶縁部材の厚さは、電極組立体が膨張している状態で絶縁部材に対向するケースの内壁と絶縁部材との間の隙間の積層方向の寸法がゼロになるように、設定されている蓄電装置が提供される。
［００２１］
上記課題を解決するため、本発明の第三の態様によれば、金属薄板および
【国際調査報告】
2016031501.tif 000009
2016031501.tif 000010
2016031501.tif 000011
2016031501.tif 000012